【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
紙容器組立体であって、
第１の連続的な本体部及び第１の表面を有する第１の縁部を含む第１の紙容器にして、該第１の縁部は該第１の本体部を取囲んで該本体部から横方向外方に突出し、該第１の縁部の該第１の表面は第１の粘着体を含む、前記第１の紙容器と、
第２の連続的な本体部及び第２の表面を有する第２の縁部を含む第２の紙容器にして、該第２の縁部は該第２の本体部を取囲んで該本体部から横方向外方に突出し、該第２の縁部の該第２の表面は第２の粘着体を含む、前記第２の紙容器とを備え、
該第１の容器及び該第２の容器は、該第１及び第２の縁部を押し合せて該第１の粘着体及び該第２の粘着体が互いに接触し解除可能に付着するようにすることにより、互いに解除可能に付着可能であるよう適合されている、前記紙容器組立体。
【請求項２】
請求項１に記載の容器組立体において、該第１の縁部はその中に少なくとも１つの凹所を形成し、該少なくとも１つの凹所は該第１の粘着体を含み、かつ該第２の縁部はその中に少なくとも１つの凹所を形成し、該少なくとも１つの凹所は該第２の粘着体を含む、前記容器組立体。
【請求項３】
請求項２に記載の容器組立体において、該第１の縁部は複数の凹所を形成し、かつ該第２の縁部は複数の凹所を形成する、前記容器組立体。
【請求項４】
請求項１に記載の容器組立体において、該第１の縁部はそこから概して上方に突出する第１の複数の波形にして該第１の複数の波形の隣接したものの間にはそれぞれ第１の空所が形成された第１の複数の波形を形成し、該それぞれの第１の空所は該第１の粘着体を包含し、該第２の縁部はそこから概して上方に突出する第２の複数の波形にして隣接した該第２の複数の波形の間にはそれぞれ第２の空所が形成された第２の複数の波形を形成し、
該それぞれの第２の空所は該第２の粘着体を包含し、かつ該第１の容器及び該第２の容器は、該第１の縁部及び該第２の縁部を押し合せて該第１の粘着体及び該第２の粘着体が互いに接触し解除可能に付着するようにすることにより、互いに解除可能に付着可能であるよう適合されている、前記容器組立体。
【請求項５】
請求項１に記載の容器組立体において、該第１の縁部は第１の複数の上方突出特徴部にして隣接した上方突出特徴部の間には第１の空所が形成された第１の複数の上方突出特徴部を有し、該第１の空所は該第１の粘着体を包含し、該第２の縁部は第２の複数の上方突出特徴部にして隣接した上方突出特徴部の間には第２の空所が形成された第２の複数の上方突出特徴部を有し、該第２の空所は該第２の粘着体を包含し、該第２の縁部及び該第１の縁部は実質的に同じに形作られ、かつ該第１の容器及び該第２の容器は、該第１の複数の上方突出特徴部及び該第２の複数の上方突出特徴部を押し合せて該第１の粘着体及び該第２の粘着体が互いに接触し解除可能に付着するようにすることにより、互いに解除可能に付着可能であるよう適合されている、前記容器組立体。
【請求項６】
請求項１に記載の容器組立体において、該第１の縁部はそこから概して上方に突出する第１の複数のリブにして隣接したリブの間には第１の空所が形成されるようにした第１の複数のリブを有し、該第１の空所は該第１の粘着体を包含し、該第２のリブはそこから概して上方に突出する第２の複数のリブにして隣接したリブの間には第２の空所が形成されるようにした第２の複数のリブを有し、該第２の空所は該第２の粘着体を包含し、かつ該第１の容器及び該第２の容器は、該第１の複数の上方突出リブ及び該第２の複数の上方突出リブを押し合せて該第１の粘着体及び該第２の粘着体が互いに接触し解除可能に付着するようにすることにより、互いに解除可能に付着可能であるよう適合されている、前記容器組立体。
【請求項７】
紙容器組立体の形成方法であって、該方法は、
第１の連続的な本体部及び第１の表面を有する第１の縁部を含む第１の紙容器にして、該第１の縁部は該第１の本体部を取囲んで該本体部から横方向外方に突出し、該第１の縁部の該第１の表面は第１の粘着体を含む、前記第１の紙容器を準備する行為と、
第２の連続的な本体部及び第２の表面を有する第２の縁部を含む第２の紙容器にして、該第２の縁部は該第２の本体部を取囲んで該本体部から横方向外方に突出し、該第２の縁部の該第２の表面は第２の粘着体を含む、前記第２の紙容器を準備する行為と、
該第１の容器及び該第２の容器の一方を裏返して、該第１の容器及び第２の容器が概して整列され該第１の縁部及び該第２の縁部が互いに隣接するようにする行為と、
該第１及び第２の縁部を押し合せて該第１の粘着体及び該第２の粘着体が互いに接触し解除可能に付着するようにする行為とを含む、前記方法。
【請求項８】
紙容器組立体であって、
第１の連続的な本体部、第１の取っ手及び第２の取っ手を含む第１の紙容器にして、該第１及び第２の取っ手は該第１の本体部を取囲んで該本体部から横方向外方に突出し、該第１の取っ手は第１の粘着体を含み、該第２の取っ手は第２の粘着体を含む、前記第１の紙容器と、
第２の連続的な本体部、第３の取っ手及び第４の取っ手を含む第２の紙容器にして、該第３及び第４の取っ手は該第２の本体部を取囲んで該本体部から横方向外方に突出し、該第３の取っ手は第３の粘着体を含み、該第４の取っ手は第４の粘着体を含む、前記第２の紙容器とを備え、
該第１の容器及び該第２の容器は、該第１の取っ手及び該第３の取っ手を押し合せて該第１の粘着体及び該第３の粘着体が互いに接触し解除可能に付着するようにし、かつ該第２の取っ手及び該第４の取っ手を押し合せて該第２の粘着体及び該第４の粘着体が互いに接触し解除可能に付着するようにすることにより、互いに解除可能に付着可能であるよう適合されている、前記紙容器組立体。
【請求項９】
ヒンジ式の紙容器であって、
第１の連続的な本体部及び第１の表面を有する第１の縁部を含む紙基部にして、該第１の縁部は該第１の本体部を取囲んで該本体部から横方向外方に突出し、該第１の縁部の該第１の表面は第１の粘着体を含む、前記紙基部と、
第２の連続的な本体部及び第２の表面を有する第２の縁部を含む紙ふた部にして、該第２の縁部は該第２の本体部を取囲んで該本体部から横方向外方に突出し、該第２の縁部の該第２の表面は第２の粘着体を含み、該ふた部は該基部にヒンジ式に付着された、前記紙ふた部とを備え、
該第１の縁部及び該第２の縁部は、該第１及び第２の縁部を押し合せて該第１の粘着体及び該第２の粘着体が互いに接触し解除可能に付着するようにすることにより、互いに解除可能に付着可能であるよう適合されている、前記紙容器。
【請求項１０】
紙容器であって、
第１の連続的な本体部及び第１の縁部を含む紙基部にして、該第１の縁部は該第１の本体部を取囲んで該本体部から横方向外方に突出する、前記紙基部と、
第２の連続的な本体部及び第２の縁部を含む紙ふた部にして、該第２の縁部は該第２の本体部を取囲んで該本体部から横方向外方に突出する、前記紙ふた部とを備え、
該基部又は該ふた部のいずれかはタブを形成し、該基部及び該ふた部の他方はスロットを形成し、該タブは第２の粘着体を含む表面を有し、該基部及び該ふた部の該他方は第２の粘着体を含む表面を有し、該基部及び該ふた部は、該スロット中に該タブを延長させて該第１の粘着体及び該第２の粘着体が互いに接触し解除可能に付着するようにすることにより、互いに解除可能に付着可能である、前記紙容器。